【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  予め定められた特定条件の成立により遊技者にとって有利となる特定遊技状態に制御され、前記特定条件が予め定められた特別条件を満たしている場合に、前記特定遊技状態が発生しやすい特別遊技状態に制御される遊技機を管理する遊技用管理装置であって、
前記遊技機から発生する遊技情報であって、前記特別遊技状態中であることを表わす特別遊技状態中情報と、前記特定遊技状態の発生を表わす特定遊技状態発生情報とを入力する情報入力手段と、
該情報入力手段に入力される情報に基づいて、前記特別遊技状態の期間を検知するための遊技状態期間検知手段と、
該遊技状態期間検知手段による検知結果、および前記情報入力手段に入力される情報に応じて、前記特別遊技状態を発生させるきっかけとなる特定遊技状態の発生を特定するとともに該発生した特別遊技状態の営業開始時からの積算値を算出し集計する特別遊技状態中遊技データ算出集計手段と、
前記遊技状態期間検知手段による検知、および前記情報入力手段に入力される情報に応じて、前記特別遊技状態期間中における前記特定遊技状態の発生回数を計数するための計数手段と、
前記特別遊技状態中遊技データ算出集計手段の算出集計結果に基づいて営業開始時点から何回目の前記特別遊技状態であるかを特定した識別情報を表示するとともに、前記計数手段の計数結果に基づいて、前記特別遊技状態になっている期間中に発生した前記特定遊技状態の発生回数の情報を、前記識別情報の集合個数により表示する情報表示手段とを備えることを特徴とする、遊技用管理装置。
【請求項２】  前記情報表示手段は、前記特別遊技状態になっている期間中に発生した前記特定遊技状態の発生回数に相当する個数の前記識別情報の集合のうち、前記特別遊技状態中遊技データ算出集計手段により特定された前記特別遊技状態を発生させるきっかけとなる特定遊技状態に相当する前記識別情報を、他の識別情報と区別して表示することを特徴とする、請求項１記載の遊技用管理装置。
【請求項３】  前記情報表示手段は、前記特別遊技状態中遊技データ算出集計手段により特定された前記特別遊技状態を発生させるきっかけとなる特定遊技状態以外で、かつ、前記特別遊技状態中以外のときに発生した特定遊技状態の発生を、当該特定遊技状態以外の特定遊技状態と区別して表示することを特徴とする、請求項１または２記載の遊技用管理装置。
【手続補正２】
【補正対象書類名】明細書
【補正対象項目名】０００８
【補正方法】変更
【補正の内容】
【０００８】
【課題を解決するための手段】
請求項１に記載の本発明は、予め定められた特定条件の成立により遊技者にとって有利となる特定遊技状態に制御され、前記特定条件が予め定められた特別条件を満たしている場合に、前記特定遊技状態が発生しやすい特別遊技状態に制御される遊技機を管理する遊技用管理装置であって、
前記遊技機から発生する遊技情報であって、前記特別遊技状態中であることを表わす特別遊技状態中情報と、前記特定遊技状態の発生を表わす特定遊技状態発生情報とを入力する情報入力手段と、
該情報入力手段に入力される情報に基づいて、前記特別遊技状態の期間を検知するための遊技状態期間検知手段と、
該遊技状態期間検知手段による検知結果、および前記情報入力手段に入力される情報に応じて、前記特別遊技状態を発生させるきっかけとなる特定遊技状態の発生を特定するとともに該発生した特別遊技状態の営業開始時からの積算値を算出し集計する特別遊技状態中遊技データ算出集計手段と、
前記遊技状態期間検知手段による検知、および前記情報入力手段に入力される情報に応じて、前記特別遊技状態期間中における前記特定遊技状態の発生回数を計数するための計数手段と、
前記特別遊技状態中遊技データ算出集計手段の算出集計結果に基づいて営業開始時点から何回目の前記特別遊技状態であるかを特定した識別情報を表示するとともに、前記計数手段の計数結果に基づいて、前記特別遊技状態になっている期間中に発生した前記特定遊技状態の発生回数の情報を、前記識別情報の集合個数により表示する情報表示手段とを備えることを特徴とする。
【手続補正３】
【補正対象書類名】明細書
【補正対象項目名】０００９
【補正方法】変更
【補正の内容】
【０００９】
請求項２に記載の本発明は、請求項１に記載の発明の構成に加えて、前記情報表示手段は、前記特別遊技状態になっている期間中に発生した前記特定遊技状態の発生回数に相当する個数の前記識別情報の集合のうち、前記特別遊技状態中遊技データ算出集計手段により特定された前記特別遊技状態を発生させるきっかけとなる特定遊技状態に相当する前記識別情報を、他の識別情報と区別して表示することを特徴とする。
【手続補正４】
【補正対象書類名】明細書
【補正対象項目名】００１０
【補正方法】変更
【補正の内容】
【００１０】
請求項３に記載の本発明は、請求項１または２に記載の発明の構成に加えて、前記情報表示手段は、前記特別遊技状態中遊技データ算出集計手段により特定された前記特別遊技状態を発生させるきっかけとなる特定遊技状態以外で、かつ、前記特別遊技状態中以外のときに発生した特定遊技状態の発生を、当該特定遊技状態以外の特定遊技状態と区別して表示することを特徴とする。
【手続補正５】
【補正対象書類名】明細書
【補正対象項目名】００１１
【補正方法】変更
【補正の内容】
【００１１】
【作用】
請求項１に記載の本発明によれば、情報入力手段の働きにより、特別遊技状態中であることを表わす特別遊技状態中情報と、前記特定遊技状態の発生を表わす特定遊技状態発生情報とが入力される。遊技状態期間検知手段の働きにより、情報入力手段に入力される情報に基づいて、特別遊技状態の期間が検知される。特別遊技状態中遊技データ算出集計手段の働きにより、遊技状態期間検知手段による検知結果、および前記情報入力手段に入力される情報に応じて、前記特別遊技状態を発生させるきっかけとなる特定遊技状態の発生が特定されるとともに該発生した特別遊技状態の営業開始時からの積算値が算出され集計される。計数手段の働きにより、遊技状態期間検知手段による検知、および情報入力手段に入力される情報に応じて、特別遊技状態期間中における特定遊技状態の発生回数が計数される。情報表示手段の働きにより、特別遊技状態中遊技データ算出集計手段の算出集計結果に基づいて営業開始時点から何回目の特別遊技状態であるかを特定した識別情報が表示されるとともに、計数手段の計数結果に基づいて、特別遊技状態になっている期間中に発生した特定遊技状態の発生回数の情報が、識別情報の集合個数により表示される。
【手続補正６】
【補正対象書類名】明細書
【補正対象項目名】００１２
【補正方法】変更
【補正の内容】
【００１２】
請求項２に記載の本発明によれば、請求項１に記載の発明の作用に加えて次のように作用する。情報表示手段のさらなる働きにより、特別遊技状態になっている期間中に発生した特定遊技状態の発生回数に相当する個数の識別情報の集合のうち、特別遊技状態中遊技データ算出集計手段により特定された特別遊技状態を発生させるきっかけとなる特定遊技状態に相当する識別情報が、他の識別情報と区別して表示される。
【手続補正７】
【補正対象書類名】明細書
【補正対象項目名】００１３
【補正方法】変更
【補正の内容】
【００１３】
請求項３に記載の本発明によれば、請求項１または２に記載の発明の作用に加えて次のように作用する。情報表示手段のさらなる働きにより、特別遊技状態中遊技データ算出集計手段により特定された特別遊技状態を発生させるきっかけとなる特定遊技状態以外で、かつ、特別遊技状態中以外のときに発生した特定遊技状態の発生が、当該特定遊技状態以外の特定遊技状態と区別して表示される。
【手続補正８】
【補正対象書類名】明細書
【補正対象項目名】０１３５
【補正方法】変更
【補正の内容】
【０１３５】
【課題を解決するための手段の具体例の効果】
請求項１に関しては、営業開始時点から何回目の特別遊技状態であるかを特定した識別情報を表示することにより、営業時間中に発生した何回目の特別遊技状態中における大当りであるかということを判別できる。また、特別遊技状態になっている期間中に発生した特定遊技状態の発生回数の情報が表示されるので、特別遊技状態の発生状況を容易に把握することができる。さらに、特別遊技状態の発生状況を容易に把握できることに伴って管理対象の遊技機の性能に関わる特性を的確に理解できる。このため、管理対象の遊技機の営業上の運用方法の決定を容易に行なうことができる。また、特別遊技状態になっている期間中に発生した特定遊技状態の発生回数の情報が、その発生回数を特定した識別情報の集合により示した態様で出力されるため、その識別情報を認識することにより、特別遊技状態の発生回数および特別遊技状態の期間中に発生した特定遊技状態の数を明確に識別することができる。
【手続補正９】
【補正対象書類名】明細書
【補正対象項目名】０１３６
【補正方法】変更
【補正の内容】
【０１３６】
請求項２に関しては、請求項１に関する効果に加えて次のような効果を得ることができる。すなわち、情報表示手段により、特別遊技状態になっている期間中に発生した特定遊技状態の発生回数に相当する個数の識別情報の集合のうち、特別遊技状態中遊技データ算出集計手段により特定された特別遊技状態を発生させるきっかけとなる特定遊技状態に相当する識別情報が、他の識別情報と区別して表示される。これにより、特別遊技状態の発生のきっかけとなった特定遊技状態であるか否かを判別することができる。
【手続補正１０】
【補正対象書類名】明細書
【補正対象項目名】０１３７
【補正方法】変更
【補正の内容】
【０１３７】
請求項３に関しては、請求項１または２に関する効果に加えて次のような効果を得ることができる。すなわち、情報表示手段により、特別遊技状態中遊技データ算出集計手段により特定された特別遊技状態を発生させるきっかけとなる特定遊技状態以外で、かつ、特別遊技状態中以外のときに発生した特定遊技状態の発生が、当該特定遊技状態以外の特定遊技状態と区別して表示される。